(57)【要約】【課題】  ペットの整腸効果を有するスプラウトを容器内で水耕栽培して、ペットに与える。【解決手段】  ペットの整腸効果を有するスプラウトを容器内で水耕栽培する。スプラウトとして、エン麦のスプラウトやイタリアンライズグラスのスプラウトが該当する。又、酢、ビタミン、ミネラル、漢方薬品のようなペットの健康に良い者を混入した水で水耕栽培することによって、ペットに栄養等を与えることができる。又、押さえ部材を備えることで、容器内からスプラウトが外部へ飛び出ない。【選択図】  図１
0003140552.tif 000002
【実用新案登録請求の範囲】
【請求項１】
容器と、容器内に収容された水と、容器内において水耕栽培された、ペットの整腸効果を有するスプラウトとから構成されたことを特徴とするペット用植物。
【請求項２】
前記スプラウトは、エン麦のスプラウトであることを特徴とする請求項１に記載のペット用植物。
【請求項３】
前記スプラウトは、イタリアンライズグラスのスプラウトであることを特徴とする請求項１に記載のペット用植物。
【請求項４】
前記スプラウトは、エン麦のスプラウト、及びイタリアンライズグラスのスプラウトであることを特徴とする請求項１に記載のペット用植物。
【請求項５】
前記水内には、ペットの健康を促進するための酢、ビタミン、クロレラ等のペット用健康飲料水、健康促進粒剤、又は漢方薬品等の何れかを混入したことを特徴とする請求項１乃至請求項４の何れか１項に記載のペット用植物。
【請求項６】
前記容器に押さえ部材を設け、押さえ部材には、前記スプライトが挿通する複数の孔が設けられていることを特徴とする請求項１乃至請求項５の何れか１項に記載のペット用植物。
【考案の詳細な説明】
【技術分野】
【０００１】
本考案は、ペット用植物に関する考案である。
【背景技術】
【０００２】
一般に、犬や猫は、自分の体をなめる習性があり、この時、同時に体毛や汚物を飲み込み、その結果、胸やけや胃腸障害を起こし易い。この場合、犬や猫は、本能的に草を食べて胃を刺激させることで、飲み込んだ体毛や毒気を草と一緒に吐き出して自分の胃の健康を守っている。
【考案の開示】
【考案が解決しようとする課題】
【０００３】
しかし、近年、自然の植物が少なくなって、周囲に、適当な植物が見当たらない場合が多くなってきた結果、ペット愛好家等からは、犬や猫等のペットに草を容易に与えることができるようにする対策が望まれている。
【０００４】
ペットに関する発明として、特許文献１等が提案されているが、犬や猫等のペットに草を容易に与えることができるようにした発明は先に提案されてはいなかった。
【０００５】
【特許文献１】特開２００７−８２７２１号公報
【０００６】
本考案は、前記従来技術の課題を解決するためになされたもので、犬や猫等のペットに整腸効果の高い植物を容易に与えることができるようにしたペット用植物を提供することを目的とする。
【課題を解決するための手段】
【０００７】
請求項１に記載の考案は、容器と、容器内に保水された水と、容器内において水耕栽培された、ペットの整腸効果を有するスプラウトとから構成されたことを特徴とするものである。
【０００８】
請求項２に記載の考案は、請求項１に記載の考案において、スプラウトはエン麦であることを特徴とするものである。
【０００９】
請求項３に記載の考案は、請求項１に記載の考案において、スプラウトはイタリアンライズグラスのスプライトであることを特徴とするものである。
【００１０】
請求項４に記載の考案は、請求項１に記載の考案において、スプラウトは、エン麦のスプラウト、及びイタリアンライズグラスのスプライトであることを特徴とするものである。
【００１１】
請求項５に記載の考案は、請求項１乃至請求項４の何れか１項に記載の考案において、水内には、ペットの健康を促進するための酢、ビタミン、クロレラ等のペット用健康飲料水、健康促進粒剤、又は漢方薬品等の何れかを混入したことを特徴とするものである。
【００１２】
請求項６に記載の考案は、請求項１乃至請求項５の何れか１項に記載の考案において、容器に押さえ部材を設け、押さえ部材には、スプライトが挿通する複数の孔が設けられていることを特徴とするものである。
【考案の効果】
【００１３】
請求項１に記載の考案によれば、ペットの整腸を整えることができる。
【００１４】
請求項２に記載の考案によれば、エン麦のスプラウトがペットの整腸を整えることができる。
【００１５】
請求項３に記載の考案によれば、イタリアンライズグラスのスプラウトがペットの整腸を整えることができる。
【００１６】
請求項４に記載の考案によれば、エン麦のスプライト、及びイタリアンライズグラスのスプライトがペットの整腸を整えることができる。
【００１７】
請求項５に記載の考案によれば、スプライトを食べたペットは、酢、ビタミン、クロレラ等のペット用健康飲料水、健康促進粒剤、又は漢方薬品等を吸収することで、健康の促進を図ることができる。
【００１８】
請求項６に記載の考案によれば、押さえ部材が、保水材の浮き上がりを押さえることによって、保水材及びスプライトを容器内に安定的に収容することができる。
【考案を実施するための最良の形態】
【００１９】
図１は容器内において、水耕栽培されているペット用植物の全体図を示す。容器１は、樹脂によって、上面が開口２した透明の有底状に形成されている。容器１の底３の外面には、両面テープ４等が設けられていることによって、容器１は、床等に固定できるようになっている。
【００２０】
前記容器１内の底には、スポンジ、ロックウール、ウレタン、ハイドロボール等の保水材５が設けられて、水耕栽培用の水を保水できるようになっている。
【００２１】
前記水は、真水であっても良いが、ペットの健康を促進するための酢、ビタミン、クロレラ等のペット用健康飲料水、健康促進粒剤、又は漢方薬品等の薬品を混入させることができる。これらの成分は、水に予め混入させても良いが、錠剤の状態で徐々に水内に溶け込むようにしても良い。
【００２２】
前記保水材５の上には、エン麦、イタリアンライズグラス等の種子が蒔かれている。
ペット用植物は、水耕温室栽培されることで、周年出荷することができる。
【００２３】
前記容器１内には、押さえ部材６が設けることができるようになっている。押さえ部材６には、複数個の孔７が開けられている。押さえ部材６は、容器１内に設けられた前記保水材６から若干の隙間を空けて上位に設けられている。押さえ部材６を容器内に位置決めする手法として、種々の手法が考えられる。
【００２４】
次に、前記押さえ部材６を容器１内に位置決めするための一例を図１を用いて説明する。容器１は、例えば、上側から下側へ向けて順次、先細状に形成されることによって、容器１の横断面は下方へ進むに従って、順次小型になっている。押さえ部材６は、容器１の横断面の形状と同形に形成されている。又、押さえ部材６の大きさは、容器１内に設けられた保水材５の位置よりも若干、上位の位置で容器を横断面にした大きさと同じ大きさとすることによって、図１中、矢印で示すように、押さえ部材６を容器１内に上から押し込むと、押さえ部材６は、保水材５よりも若干上位の位置で停止して位置決めされることなる。
【００２５】
次に、作用について説明する。保水材５の上面に蒔かれた種子から発芽したエン麦、イタリアンライズグラス等のスプライトＳは、押さえ部材６の孔７を挿通して成長する。この際、スプライトＳは、水のみによって成長することができるが、水中に混入されている酢、ペット用健康飲料水、健康促進剤、漢方薬品、ビタミン、クロレラ等を吸収することで、スプライトＳ自体がペットの健康促進に好ましいものとなっている。このために、犬や猫等のペットは、エン麦、イタリアンライズグラス等のスプライトＳを食べることで、胃を刺激して、胃内に飲み込まれている体毛や汚物を吐き出すことができる上に、スプライトＳ自体の栄養を吸収することで、健康の促進を図ることができる。
【００２６】
以上のように、ペット用植物は容器１内で育成されているために、家庭で飼われているペットに容易に与えることができて、ペットの健康の促進に役立つことができる。
【００２７】
特に、エン麦やイタリアンライズグラスはペットの整腸効果を有するために、ペットが、エン麦やイタリアンライズグラスを食べることで、腸の調子が整えられる。
【００２８】
以上のように、ペット用植物は水耕栽培されるために、ペットがスプライトＳを食べる際に、土等が周囲へ飛び散ることも無く、周囲を清潔に保つことができる。又、押さえ部材６が、保水材５の浮き上がりを防止することで、保水材５及びスプラウトＳが容器１外へ飛び出して周囲を汚すことがない。
【００２９】
図２は、第２実施形態を示す。図２に示す押さえ部材６は、枠状に形成されている。図２に示すように、この押さえ部材６は容器１内に配置された状態において、保水材５の周囲を下方へ押さえ付けることで、保水材５が浮き上がらないようになっている。
【００３０】
図３は、第３実施形態を示す。図３に示すように、枠状の押さえ部材６が、容器１の開口に取り付けられるものである。押さえ部材６の周囲には複数の凹部８が設けられて、輪ゴムＧを位置ずれしないようにして配置できるようになっている。輪ゴムＧは図示のように、縦横に設けられることで、ペットがスプライトＳを食べる際にスプライトＳを上方へ引っ張ったとしても、スプライトＳが容器１内から容器１外へ飛び出すことが無い。尚、図３に示す実施形態においては、容器１の底近傍に設けられている押さえ部材６を省略することができる。
【００３１】
図４は、第４実施形態を示す。図４に示すように、押さえ部材６を、容器１の蓋とした場合を示す。この実施形態においては、押さえ部材６の孔９を挿通して、スプラウトＳが成長することができる。又、押さえ部材６が容器１の蓋としての役割を果たすために、容器１内へ埃等が侵入する事態を抑制することができる。
【００３２】
図５は、第５実施形態を示す。同図５（ａ）に示すように、容器１には複数の位置に波線Ｈが設けられている。容器１は、波線Ｈの位置で容易に切断できる構造になっている。同図５図（ｂ）は、上側の波線Ｈの位置で容器１を切断した状態を示す。このように、容器１を複数の位置で容易に切断できるようにすることによって、ペットがスプライトＳを食べることで、スプライトＳの背丈が徐々に低くなっても、ペットがスプライトＳを食べ易くすることができる。
【００３３】
図６は、第６実施形態を示す。図６は、容器として袋Ｆを用いた状態を示す。袋Ｆの底面に板等を用いることで、袋Ｆ自体が立っている状態を保つようにすることもできる。
【００３４】
図７は第７実施形態を示す。図７は、容器１内に保水材を設けない状態を示す。この第７実施形態においては、スプラウトＳの根同士が絡み合うことで、水を保水することができる。
【００３５】
図８は、ペット用植物を４個束ねた状態を示す。又、図９は、ペット用植物を２個束ねた状態を示す。このように、複数個のペット用植物を束ねることで、ペット用植物を販売し易くすることができる。
【００３６】
以上の説明においては、容器１として、横断面が角形の容器を用いて説明したが、図１０に示すように、容器１の横断面が円形の容器や、図１１に示すように、容器１の横断面が三角形の容器を用いることもできる。又、容器１の形状として植木鉢型の容器を用いることも可能である。
【００３７】
又、ペット用植物の容器１の周面に、またたびの粉を備えることで、猫の興味をペット用植物に引き付けることによって、猫がペット用植物を食べ易くすることができる。
【００３８】
更に、ペット用植物の水内に殺菌剤を混入することで、水内の雑菌の繁殖を抑えて、ペットの健康を阻害しないようにしたり、雑菌の繁殖に伴って発生しやすい腐敗臭をおさえることができる。
【００３９】
更に又、以上の実施形態においては、エン麦、イタリアンライズグラスを水耕栽培した場合について説明したが、犬や猫等のペットの好む他の植物、例えば、芽だし麦、芽だし芝等のグレインスプラウト等を水耕栽培して、犬や猫等のペットに与えることもできる。
【００４０】
又、本実施形態においては、スプラウトＳを用いることで、ペットに植物の栄養を十分に与えることができる。つまり、通常の野菜は、収穫直後から栄養成分が減少し始めるが、スプラウトＳは生きた状態が維持するために、ペットに生きた植物の栄養成分を十分に与えることができる。
【００４１】
又、エン麦やイタリアンライズグラスに、臭い消しの効果を有する植物等を混入することで、ペットの食欲を増進させることができ、更には、果実等を混入させることも可能である。
【００４２】
前述したペット用植物は、ホームセンター、スーパーマーケット等の小売店の切り花、園芸、ペットコーナーやペットショップ、動物病院等で販売したり、通信販売のカタログ等で販売することが可能である。
【図面の簡単な説明】
【００４３】
【図１】図１は、第１実施形態の斜視図である。
【図２】図２は、第２実施形態の斜視図である。
【図３】図３は、第３実施形態の斜視図である。
【図４】図４は、第４実施形態の斜視図である。
【図５】図５は、第５実施形態の斜視図である。
【図６】図６は、第６実施形態の斜視図である。
【図７】図７は、第７実施形態の斜視図である。
【図８】図８は、第８実施形態の斜視図である。
【図９】図９は、第９実施形態の斜視図である。
【図１０】図１０は、第１０実施形態の斜視図である。
【図１１】図１１は、第１１実施形態の斜視図である。
【符号の説明】
【００４４】
１  容器
５  保水部材
６  押さえ部材
Ｓ  スプラウト
【図１】
0003140552.tif 000003
【図２】
0003140552.tif 000004
【図３】
0003140552.tif 000005
【図４】
0003140552.tif 000006
【図５】
0003140552.tif 000007
【図６】
0003140552.tif 000008
【図７】
0003140552.tif 000009
【図８】
0003140552.tif 000010
【図９】
0003140552.tif 000011
【図１０】
0003140552.tif 000012
【図１１】
0003140552.tif 000013